(57)【要約】【課題】口栓部を露出させることで容器の注出機能を消費者が認知できる構造で、取り付け工程上の不良品発生や後工程での不都合発生を無くし、しかも特段の工程増加や機械設備を必要としない、口栓付切妻屋根型紙容器の傾斜屋根上にワンタッチで取り付け可能な附属容器を提供する。【解決手段】口栓付切妻屋根型紙容器に取り付ける、左側面板、正面板、右側面板、背面板、天面板ならびに傾斜底面板を有する断面横向き直角台形状の附属容器において、前記正面板と前記傾斜底面板との間に前記口栓付切妻屋根型紙容器のトップシール部が嵌入する空隙を設けるとともに、前記正面板に折線を介して、中央部に口栓当接板を延設し、かつ該口栓当接板の両側に表示板をそれぞれ延設した附属容器。【選択図】　　　　図３
2004059031.tif 000002
【特許請求の範囲】
【請求項１】
口栓付切妻屋根型紙容器に取り付ける、左側面板、正面板、右側面板、背面板、天面板ならびに傾斜底面板を有する断面横向き直角台形状の附属容器において、前記正面板と前記傾斜底面板との間に前記口栓付切妻屋根型紙容器のトップシール部が嵌入する空隙を設けるとともに、前記正面板に折線を介して、中央部に口栓当接板を延設し、かつ該口栓当接板の両側に表示板をそれぞれ延設してなる附属容器。
【請求項２】
前記口栓当接板と表示板が、切線によりそれぞれ独立したことを特徴とする請求項１記載の附属容器。
【発明の詳細な説明】
【０００１】
【発明の属する技術分野】
本発明は、酒類、コーヒー等の飲料、食用油等が充填された切妻屋根型（ゲーベルトップ型）紙容器の傾斜屋根上に設置して用いられる「おつまみ」や「付属小物」などを収納する附属容器に関し、さらに詳しくは、傾斜屋根面に口栓を有するタイプの切妻屋根型紙容器に好適な附属容器に関する。
【０００２】
【従来の技術】
従来から切妻屋根型紙容器の傾斜屋根上に「おつまみ」や「附属小物」などを収納する附属容器を取り付けて、消費者の購買意欲を刺激するように構成した商品が販売されている。
【０００３】
このような附属容器としては、たとえば、実公昭５９−４３２１５号公報等に示されるようなものがある。この公報に示される附属容器は、切妻屋根型紙容器の一方の傾斜屋根上に取り付けられるものであり、附属容器本体の両端部に設けられた舌片を切妻屋根型紙容器の傾斜屋根を構成する入母屋型の窪み内に差込むことにより、切妻屋根型紙容器に取り付けるように構成されたものであるが、この附属容器の取り付けは結構手間のかかる作業であり、ワンタッチで取り付け可能な附属容器が要望されていた。
【０００４】
また特開平６−７２４２７号公報に示される屋根形状液体容器への付属品包装容器取付方法では、屋根形状液体容器の一方の傾斜屋根上に接着剤塗布や両面テープによる接着で取り付ける方法や、注ぎ口に係合する取付孔による方法があるが、接着で取り付ける方法では、工程の増加や機械設備の必要性が有るほか、接着位置のずれによる不良品発生や、後工程の熱収縮フィルムによる包装工程での不都合すなわち位置ずれから発生する付属品包装容器の突出等によるフィルムの破損等が考えられ、また注ぎ口に係合させる取付孔による方法では、液体容器の注ぎ口自体のずれが生じた場合、接着による場合と同様、取付位置のずれによる不良品発生や後工程での不都合発生があった。さらに注ぎ口を隠してしまうことで、容器の保有する機能の一部が、消費者に認知されないという欠点があった。
【０００５】
【発明が解決しようとする課題】
そこで、本発明は、上記問題を解決するためになしたものであって、その目的とするところは、口栓部を露出させることで容器の注出機能を消費者が認知できる構造で、取り付け工程上の不良品発生や後工程での不都合発生を無くし、しかも特段の工程増加や機械設備を必要としない、口栓付切妻屋根型紙容器の傾斜屋根上にワンタッチで取り付け可能な附属容器を提供することにある。
【０００６】
【課題を解決するための手段】
上記課題を解決するため、請求項１の発明は、口栓付切妻屋根型紙容器に取り付ける左側面板、正面板、右側面板、背面板、天面板ならびに傾斜底面板を有する断面横向き直角台形状の附属容器において、前記正面板と前記傾斜底面板との間に前記口栓付切妻屋根型紙容器のトップシール部が嵌入する空隙を設けるとともに、前記正面板に折線を介して、中央部に口栓当接板を延設し、かつ該口栓当接板の両側に表示板をそれぞれ延設する構成により、特段の工程増加や機械設備を必要としないで、口栓付切妻屋根型紙容器の傾斜屋根上にワンタッチで取り付け可能な附属容器を提供する。
【０００７】
また、請求項２の発明は、前記口栓当接板と表示板が、切線によりそれぞれ独立したことを特徴とし、口栓のずれにより発生する附属容器の取り付け不良や、これに伴う後の熱収縮フィルム包装工程での不具合などを解消することができる。
【０００８】
【発明の実施の形態】
上記の本発明について、図面等を用いて以下に詳述する。
図１は本発明にかかる附属容器の実施形態の展開平面図である。図２は同じく実施形態を底面から見た状態を示す斜視図である。図３は実施形態を口栓付切妻屋根型容器に取り付けた使用状態を示す斜視図である。
【０００９】
図１は本発明にかかる附属容器の実施形態の展開平面図であって、縦折線Ｌ１、Ｌ２、Ｌ３、Ｌ４を介して順に左側面板１、正面板２、右側面板３、背面板４、貼着板５が連設され、正面板２の上部延長上には横折線Ｌ５、Ｌ６を介して天面板６、差込板７が連設され、左側面板１および右側面板３のそれぞれ上部延長上には横折線Ｌ１０、Ｌ１０´を介して耳片１２、１２´がそれぞれ延設されている。前記正面板２の下部延長上には、横折線Ｌ９を介して中央部分に口栓当接板１１が延設されるとともにその両側に同じく横折線Ｌ９を介して表示板１０、１０´がそれぞれ延設されている。左側面板１および右側面板３のそれぞれ下部延長上には傾斜折線Ｌ１１、Ｌ１１´を介して傾斜耳片１３、１３´がそれぞれ延設されている。さらに背面板４の下部延長上には横折線Ｌ７、Ｌ８を介して傾斜底面板８、保持板９が連設されている。
【００１０】
前記正面板２は、本発明の附属容器が取り付けられる口栓付切妻屋根型紙容器のトップシール部高さに略等しい高さと、該トップシール部幅よりやや大なる幅からなる矩形であり、前記背面板４は、前記トップシール部高さに前記傾斜屋根の垂直高さ寸法を加えた寸法に略等しい高さと、前記正面板２の幅に等しい幅からなる矩形である。
【００１１】
前記左側面板１および右側面板３は、前記横折線Ｌ１およびＬ２を上辺とし、同じく前記傾斜折線Ｌ１１およびＬ１１´を斜辺とする横向き直角台形で、正面板２を挟んで略左右対称に連設されおり、前記傾斜折線Ｌ１１およびＬ１１´の傾斜角度は、前記口栓付切妻屋根型紙容器の傾斜屋根角度に略同一である。また前記横向き直角台形の高さすなわち左右側面板１および３の幅寸法は、前記傾斜屋根の水平奥行き寸法にトップシール部厚みを加えた寸法に略等しい。
【００１２】
前記傾斜底面板８は、前記傾斜屋根と略等しい面を持つ矩形である。また連設される前記保持板９は、前記傾斜底面板８の幅と前記トップシール部高さに略等しい高さからなる矩形で、両下端角部を差込用に切り欠いている。
【００１３】
前記口栓当接板１１は、前記口栓付切妻屋根型紙容器の口栓幅よりやや大なる幅を持ち、その下端は前記口栓に略当接するよう上向き円弧状に形成されている。さらに前記表示板１０、１０´は前記傾斜屋根の傾斜面奥行き幅に略等しい長さを持つ矩形であるが、その下端内向き角部を一部切り欠いて、前記口栓当接板１１を挟んで左右対称に設けられている。尚、前記表示板１０、１０´の下端内向き角部の一部切り欠きは、後述する附属容器の取り付けをより容易とするためのものであるので、表示意匠等に影響する場合切り欠きを設ける必要は無い。
【００１４】
本発明の附属容器の組立てにあたっては、あらかじめサック貼り製函機等で縦折線Ｌ１およびＬ３を折り曲げて、左側面板１と貼着板５が貼着され、扁平に折り畳まれた前記附属容器Ｆを、縦折線Ｌ１、Ｌ２、Ｌ３、Ｌ４を用いて起立させ矩形の筒状体となし、次に傾斜折線Ｌ１１およびＬ１１´を用いて耳片１３および１３´を内折りした後、横折線Ｌ７およびＬ８を用いて傾斜底面板８および保持板９を内折りして、保持板９を前記筒状体に差込んで該筒状体底面を形成した後、附属する製品を投入し、次に横折線Ｌ１０およびＬ１０´を用いて耳片１２および１２´を内折りした後、横折線Ｌ５およびＬ６を用いて天面板６および差込板７を内折りして、差込板７を前記筒状体に差し込んで該筒状体天面を閉塞して、附属容器の組立てを完了する。尚、本実施例では、天面の閉塞を差込み蓋状としたが、これに限定するものではなく、他の筒状体端部閉塞構造を選択できるものである。
【００１５】
図２は本実施形態を底面から見た状態を示す斜視図で、本発明の附属容器が組み立てられた状態を示しているが、前述のように、附属容器Ｆの左側面板１および右側面板３の幅寸法は、前記傾斜屋根の水平奥行き寸法にトップシール部の厚みを加えた寸法であり、前記傾斜底面板８の奥行き寸法は、傾斜屋根の奥行き寸法に略等しいので、保持板９が差し込まれ組み立てられた状態では、正面板２と保持板９の間に空隙Ｇが形成され、この空隙Ｇに本発明にかかる口栓付切妻屋根型紙容器のトップシール部が嵌め込まれることとなる。
【００１６】
図３は本発明の附属容器を口栓付切妻屋根型容器に取り付けた使用状態を示す斜視図で、Ａは口栓付切妻屋根型紙容器、Ｆは附属容器である。前述したように、附属する製品が投入されて組み立てられた附属容器Ｆは、天面板６を上にした状態で、前記空隙Ｇに口栓付切妻屋根型紙容器Ａのトップシール部Ｄを差込みつつ、表示板１０、１０´が口栓付の傾斜屋根Ｂ面に沿いながら外折りされ、次に口栓当接板１１が同じく口栓付の傾斜屋根Ｂ面に沿いながら外折りされ口栓Ｃに当接されるとともに、附属容器の傾斜底面板８が口栓Ｃの無い側の傾斜屋根Ｂ面に当接されることで、取り付けが完了する。
【００１７】
前記口栓Ｃは口栓付切妻屋根型紙容器Ａの幅方向中央位置に取り付けられているが、取り付け位置のずれや、口栓付切妻屋根型紙容器Ａ自体の起函状態のばらつきにより、幅方向中央位置からずれることがある。このとき本発明の附属容器Ｆの口栓当接板１１および表示板１０、１０´はそれぞれ独立しているので、前記口栓Ｃのずれに対応して取り付けることができる。例えば口栓Ｃが右寄りにずれて位置している場合、表示板１０´はやや右方向に押出された状態で口栓Ｃに当接することとなり、表示板１０は口栓Ｃに当接しない状態で取り付けられることとなる。尚、こうして附属容器Ｆが取り付けられた口栓付切妻屋根型紙容器Ａは、通常、熱収縮性フィルムにより全体を被覆された状態で販売されるが、前述した口栓Ｃのずれにより発生する、表示板１０あるいは１０´の状態変化すなわち一部が傾斜屋根端縁Ｅの外側に押出されるような状態変化も、口栓当接板１１および表示板１０、１０´がそれぞれ独立しているので、熱収縮性フィルムの収縮により生じる表示板１０あるいは１０´を口栓Ｃ方向へ押入れる力が、正面板２の撓みにより逃がされることとなり、傾斜屋根端縁Ｅの外側に押出されていた表示板１０あるいは１０´が傾斜屋根端縁Ｅの内側に戻され、よって全体の熱収縮フィルムによる被覆された状態に支障を来たす事が無い。
【００１８】
【発明の効果】
以上のように本発明の附属容器は、口栓付切妻屋根型紙容器の傾斜屋根上に取り付け固定することができる「おつまみ」や「付属小物」などを収納する付属容器であって、ワンタッチで口栓付切妻屋根型紙容器の傾斜屋根上に取り付け固定することができるという優れた効果とともに、口栓部は露出された状態で消費者の容器機能の認知を可能としつつ、口栓部の位置ずれによる取り付け工程での不良品発生や後工程の熱収縮性フィルム包装工程での不良品発生を無くし、しかも特段の工程増加や機械設備を必要としないという効果を有する。
【図面の簡単な説明】
【図１】本発明にかかる附属容器の実施形態の展開平面図である。
【図２】実施形態を底面から見た状態を示す斜視図である。
【図３】実施形態を口栓付切妻屋根型容器に取り付けた使用状態を示す斜視図である。
【符号の説明】
１　　　　　　　　　　　　　左側面板
２　　　　　　　　　　　　　正面板
３　　　　　　　　　　　　　右側面板
４　　　　　　　　　　　　　背面板
５　　　　　　　　　　　　　貼着板
６　　　　　　　　　　　　　天面板
７　　　　　　　　　　　　　差込板
８　　　　　　　　　　　　　傾斜底面板
９　　　　　　　　　　　　　保持板
１０、１０´　　　　　　　　表示板
１１　　　　　　　　　　　　口栓当接板
１２、１２´　　　　　　　　耳片
１３、１３´　　　　　　　　傾斜耳片
Ｌ１〜Ｌ４　　　　　　　　　縦折線
Ｌ５〜Ｌ１０´　　　　　　　横折線
Ｌ１１、Ｌ１１´　　　　　　傾斜折線
Ａ　　　　　　　　　　　　　口栓付切妻屋根型紙容器
Ｂ　　　　　　　　　　　　　傾斜屋根
Ｃ　　　　　　　　　　　　　口栓
Ｄ　　　　　　　　　　　　　トップシール部
Ｅ　　　　　　　　　　　　　傾斜屋根端縁
Ｆ　　　　　　　　　　　　　附属容器
Ｇ　　　　　　　　　　　　　空隙
【図１】
2004059031.tif 000003
【図２】
2004059031.tif 000004
【図３】
2004059031.tif 000005